(57)【要約】      （修正有） 【課題】高温粒子を含む含塵気体を、高温粒子の除去と流量調整の行った後、粉末状プリコート剤を含有させてバグフィルタ式集塵機に供給することができる、簡易な構造でコンパクトなうえに廉価な装置を提供する。【解決手段】天井壁に含塵気体の供給口１、側壁に処理済気体の排出口２を有する気密状の箱体状の本体３と、本体の内部空間の上部に下向き勾配状にて設けられ、処理済気体の排出口側を、含塵気体の供給室４とプリコート剤含有気体の生成室５とに仕切り、かつ高温粒子の除去された気体が通過する通気口６をその下端に本体とで形成する仕切り部材７と、仕切り部材の下端に上下回動かつ調整可能にして装着され通気口の開口度を調節するダンパ機構８と、プリコート剤含有気体の生成室内に配設されたプリコート剤供給手段９と、本体底部に入出可能にして配置され仕切り部材から落下した高温粒子を受ける粒子受け部材１０と、を具備した。【選択図】図１
2008104987.tif 000002
【特許請求の範囲】
【請求項１】
高温粒子を含有する含塵気体を、その高温粒子を除去するとともに流量を調整したのち粉末状プリコート剤を含有させた処理済気体にしてバグフィルタ式集塵機に供給する装置であって、
全体としては気密状の箱体状を成し、その天井壁に含塵気体の供給口をかつその側壁に処理済気体の排出口をそれぞれ有する本体と、
この本体の内部空間の上部に下向き勾配状にて設けられて、本体の内部空間における前記処理済気体の排出口側を、含塵気体の供給室とプリコート剤含有気体の生成室とに仕切り、かつ高温粒子の除去された気体が通過する通気口をその下端に前記本体とで形成する仕切り部材と、
この仕切り部材の下端に上下回動かつ調整可能にして装着されて前記通気口の開口度を調節するダンパ機構と、
前記プリコート剤含有気体の生成室内に配設されてプリコート剤を供給するプリコート剤供給手段と、
前記本体の底部に入出可能にして配置され前記仕切り部材から落下した高温粒子を受ける粒子受け部材と、
を具備したことを特徴とするバグフィルタ式集塵機の援護装置。
【請求項２】
請求項１に記載のバグフィルタ式集塵機の援護装置において、
前記プリコート剤供給手段は、粉末状プリコート剤を収納する容器と、この容器の粉末状プリコート剤に圧縮空気を噴射する圧縮空気噴射手段とを備えたことを特徴とするバグフィルタ式集塵機の援護装置。
【発明の詳細な説明】
【技術分野】
【０００１】
本発明は、高温粒子を含有する含塵気体を、その高温粒子を除去するとともに流量を調整したのち粉末状プリコート剤を含有させた処理済気体にしてバグフィルタ式集塵機に供給するのに好適な装置に関する。
【背景技術】
【０００２】
従来、例えば、溶接や切断などの作業時に発生する高温粒子を含有する含塵気体からその高温粒子を除去する装置の一つとして、粉塵ガス吸引ホースに連なるガス導入口が、サイクロン筒の接線方向に臨んで開口される一方、吸引機に接続された導出ホースに連なる導出口が、該サイクロン筒の頂部に開口され、そのサイクロン筒には、円筒状の集塵フィルターが、該サイクロン筒の内周面との間に円環状空間を形成して同心状に配置されている集塵装置において、上記集塵フィルターの内部空間へ吸引される粉塵ガスの吸入流速を、該集塵フィルターの全面で略同等にするため、上記集塵フィルターの内部空間または外部空間に、側面に複数のガス流通孔を備えた透過量調節筒体が配置されたサイクロン式集塵装置がある（特許文献１）。
【０００３】
また、ガス清浄装置の一つとして、底部を液溜部としたケーシングの内部を、下部に邪魔板状のエリミネータを備えた隔壁により、ベンチュリースクラバを備えた湿式清浄室と乾式フィルタを備えた乾式濾過室とに区画し、乾式濾過室の底部には内部に粉末状のプリコート剤容器を設けるとともに、その上方にはプリコート剤に高圧空気を噴射するための噴射ノズルを設けたものがある（特許文献２）。
【特許文献１】特開平５−１０４０３３号公報
【特許文献２】特開昭６２−１６３７２３号公報
【発明の開示】
【発明が解決しようとする課題】
【０００４】
そこで、高温粒子を含有する含塵気体を、その高温粒子を除去するとともに流量を調整したのち粉末状プリコート剤を含有させた処理済気体にしてバグフィルタ式集塵機に供給するために、上述の特許文献１のサイクロン式集塵装置と特許文献２のガス清浄装置を利用しようとすると、装置全体が複雑で大規模なものになるうえ高価にもなるなどの問題があった。
【０００５】
本発明は上記の事情に鑑みてなされたもので、その目的は、高温粒子を含有する含塵気体を、その高温粒子を除去するとともに流量を調整したのち粉末状プリコート剤を含有させた処理済気体にしてバグフィルタ式集塵機に供給することができる、簡易な構造でコンパクトなうえに廉価な装置を提供することにある。
【課題を解決するための手段】
【０００６】
上記の問題を解消するために本発明におけるバグフィルタ式集塵機の援護装置は、高温粒子を含有する含塵気体を、その高温粒子を除去するとともに流量を調整したのち粉末状プリコート剤を含有させた処理済気体にしてバグフィルタ式集塵機に供給する装置であって、全体としては気密状の箱体状を成し、その天井壁に含塵気体の供給口をかつその側壁に処理済気体の排出口をそれぞれ有する本体と、この本体の内部空間の上部に下向き勾配状にて設けられて、本体の内部空間における前記処理済気体の排出口側を、含塵気体の供給室とプリコート剤含有気体の生成室とに仕切り、かつ高温粒子の除去された気体が通過する通気口をその下端に前記本体とで形成する仕切り部材と、この仕切り部材の下端に上下回動かつ調整可能にして装着されて前記通気口の開口度を調節するダンパ機構と、前記プリコート剤含有気体の生成室内に配設されてプリコート剤を供給するプリコート剤供給手段と、前記本体の底部に入出可能にして配置され前記仕切り部材から落下した高温粒子を受ける粒子受け部材と、を具備したことを特徴とする。
【０００７】
このように構成されたものは、通気口の開口度をダンパ機構によって予め調節したのち、
高温粒子を含有する含塵気体を含塵気体の供給口に供給すると、この含塵気体は仕切り部材に衝突して高温粒子を除去され、続いて、通気口を通って流量を調整させたのちプリコート剤含有気体の生成室に流入する。そして、プリコート剤供給手段の作動によって舞い上がったプリコート剤が供給され、その後、処理済気体の排出口からバグフィルタ式集塵機に供給される。そして、除去された高温粒子は仕切り部材から落下して粒子受け部材に捕集される。
【０００８】
なお、本発明における高温粒子を含有する含塵気体とは、例えば、溶接や切断などの作業時に発生するいろいろの粒度のスバッターや煙状のヒュームなどが含まれるものを言う。
またなお、本発明におけるプリコート剤供給手段とは、粉末状プリコート剤を収納する容器と、この容器の粉末状プリコート剤に圧縮空気を噴射する圧縮空気噴射手段とを備えていて、圧縮空気の噴射によりプリコート剤を舞い上がらせるようにしたものを言う。
【発明の効果】
【０００９】
上記の説明から明らかなように本発明は、高温粒子を含有する含塵気体を、その高温粒子を除去するとともに流量を調整したのち粉末状プリコート剤を含有させた処理済気体にしてバグフィルタ式集塵機に供給する装置であって、全体としては気密状の箱体状を成し、その天井壁に含塵気体の供給口をかつその側壁に処理済気体の排出口をそれぞれ有する本体と、この本体の内部空間の上部に下向き勾配状にて設けられて、本体の内部空間における前記処理済気体の排出口側を、含塵気体の供給室とプリコート剤含有気体の生成室とに仕切り、かつ高温粒子の除去された気体が通過する通気口をその下端に前記本体とで形成する仕切り部材と、この仕切り部材の下端に上下回動かつ調整可能にして装着されて前記通気口の開口度を調節するダンパ機構と、前記プリコート剤含有気体の生成室内に配設されてプリコート剤を供給するプリコート剤供給手段と、前記本体の底部に入出可能にして配置され前記仕切り部材から落下した高温粒子を受ける粒子受け部材と、を具備したから、複数の機能を備えているが、簡易な構造でコンパクトなうえに廉価な装置になるなどの優れた実用的効果を奏する。
【発明を実施するための最良の形態】
【００１０】
次に、本発明を適用したバグフィルタ式集塵機の援護装置の一実施例について、図１および図２に基づき詳細に説明する。本バグフィルタ式集塵機の援護装置は、全体としては気密状の箱体状を成し、その天井壁に含塵気体の供給口１をかつその側壁に処理済気体の排出口２をそれぞれ有する本体３と、この本体３の内部空間の上部に下向き勾配状にて設けられて、本体３の内部空間における前記処理済気体の排出口２側を、含塵気体の供給室４とプリコート剤含有気体の生成室５とに仕切り、かつ高温粒子の除去された気体が通過する通気口６をその下端に前記本体３とで形成する仕切り部材７と、この仕切り部材７の下端に上下回動かつ調整可能にして装着されて前記通気口６の開口度を調節するダンパ機構８と、前記プリコート剤含有気体の生成室５内に配設されてプリコート剤を供給するプリコート剤供給手段９と、前記本体３の底部に入出可能にして配置され前記仕切り部材７から落下した高温粒子を受ける粒子受け部材１０と、で構成してある。
【００１１】
そして、前記ダンパ機構８は、図１および図２に示すように、長方形の板状のダンパ本体１１と、ダンパ本体１１の上部に前後方向へ指向して固着されかつ前後両側部が前記本体３の前後側壁に回転自在にして貫装された支持軸１２と、前記本体３の前面に固着されブラケットを介して設けられた蝶ボルト・ナット１３・１４と、前記支持軸１２の前端寄り位置に固着され前記蝶ボルト１３を貫通させかつ前記支持軸１２を中心にして円弧状を成す長孔を有するハンドル１５と、を備えている。
【００１２】
また、前記プリコート剤供給手段９は、粉末状プリコート剤を収納する容器１６と、この容器１６の粉末状プリコート剤に圧縮空気を噴射する圧縮空気噴射手段１７と、を備えている。
【００１３】
このように構成したものは、ダンパ機構８の蝶ボルト１３を緩め、ハンドル１５によってダンパ本体１１を上下回動させて通気口６の開口度を調節したのち、蝶ボルト１３を締めてダンパ本体１１を固定し、通気口６の開口度を予め調節する。次いで、高温粒子を含有する含塵気体を含塵気体の供給口１に供給すると、この含塵気体は、仕切り部材７に衝突して高温粒子を除去され、続いて、通気口６を通って流量を調整させたのちプリコート剤含有気体の生成室５に流入する。そして、プリコート剤供給手段９の作動によって舞い上がったプリコート剤が供給され、その後、処理済気体の排出口２からバグフィルタ式集塵機に供給される。そして、除去された高温粒子は仕切り部材７から落下して粒子受け部材１０に捕集される。
【図面の簡単な説明】
【００１４】
【図１】本発明を適用したバグフィルタ式集塵機の援護装置の一実施例の一部断面正面図である。
【図２】図１の一部断面右側面図である。
【符号の説明】
【００１５】
１    含塵気体の供給口
２    処理済気体の排出口
３    本体
４    含塵気体の供給室
５    プリコート剤含有気体の生成室
６    通気口
７    仕切り部材
８    ダンパ機構
９    プリコート剤供給手段
１０    粒子受け部材
【図１】
2008104987.tif 000003
【図２】
2008104987.tif 000004